(57)【要約】【課題】防水性能を向上させ、凹凸部における塵や水垢の堆積を防止し、且つ、部品点数を減少させて組立作業の容易化と組立コストの低減を図ることが可能な表示装置を提供すること。【解決手段】筐体と、上記筐体内に内装され表示デバイスを備えた基板と、を備えた状態で表示装置において、上記筐体は前面壁及び側壁を一体成形したものであり、それによって、複数の部品の継目等をなくして防水性能を高めようとするものであると共に、部品点数を減少させて組立作業の容易化及び製造コストの低減を図らんとするものである。【選択図】　図３
2004117475.tif 000002
【特許請求の範囲】
【請求項１】
筐体と、上記筐体内に内装され表示デバイスを備えた基板と、を具備した表示装置において、
上記筐体は前面壁及び側壁を一体成形したものであることを特徴とする表示装置。
【請求項２】
請求項１記載の表示装置において、
上記筐体の前面壁には凹凸がないことを特徴とする表示装置。
【請求項３】
請求項１又は請求項２記載の表示装置において、
上記筐体の前面壁は中央部から周辺部に向かって下り勾配になるように湾曲形成されているものであることを特徴とする表示装置。
【請求項４】
請求項１〜請求項３の何れかに記載の表示装置において、
上記筐体の前面壁の内側には上記表示デバイスを位置決めするための表示デバイス位置決め部が一体に突出・配置されていることを特徴とする表示装置。
【請求項５】
請求項４記載の表示装置において、
上記表示デバイス位置決め部内にはブッシュが内装されていることを特徴とする表示装置。
【請求項６】
請求項１〜請求項５の何れかに記載の表示装置において、
上記筐体の前面壁の内側には上記基板を取り付けるための基板取付部が突出・配置されていることを特徴とする表示装置。
【請求項７】
請求項４〜請求項６の何れかに記載の表示装置において、
上記表示デバイス位置決め部には表示デバイスより発せられる光を拡散させるための表示デバイス光拡散部が設けられていることを特徴とする表示装置。
【請求項８】
請求項１〜請求項７の何れかに記載の表示装置において、
該表示装置は屋外にて露出した状態で使用されるものであることを特徴とする表示装置。
【発明の詳細な説明】
【０００１】
【発明が属する技術分野】
本発明は、例えば、船舶や自動二輪車等において露出した状態で取り付けられる表示装置に係り、特に、その防水性能を向上させると共に部品点数を減少させて組立作業を容易化することができるように工夫したものに関する。
【０００２】
【従来の技術】
船舶や自動二輪車等において露出した状態で使用される表示装置は、例えば、図１０に示すような構成をなしている。図１０は表示装置の構成を示す断面図であり、まず、筐体２０１がある。この筐体２０１は有底円筒状をなしていて、上端を開口部２０３としている。上記筐体２０１内には基板取付部２０５、２０７が立設されていて、この基板取付部２０５、２０７上には基板２０９が図示しない締結ねじによって取付・固定されている。この基板２０９には表示デバイスとしてのＬＥＤ２１１、２１３が実装されている。
【０００３】
上記ＬＥＤ２１１、２１３の上には表示銘板２１５が取り付けられている。又、上記表示銘板２１５の上方にはガラス板２１７が取り付けられていて、このガラス板２１７によって開口部２０３が閉塞されている。又、上記開口部２０３の縁部には枠材２１９が防水パッキン２２１、２２３を介して取り付けられている。これら防水パッキン２２１、２２３によって防水機能を発揮している。
【０００４】
【発明が解決しようとする課題】
上記従来の構成によると次のような問題があった。
まず、防水性能の点において問題があった。すなわち、図１０にも示すように、表示装置の前面側には複数の部品の継目が存在し（例えば、枠材２１９と防水パッキン２２１の隙間、防水パッキン２２１とガラス板２１７の隙間、枠材２１９と防水パッキン２２３の隙間等）、勿論、防水パッキン２２１、２２３によってシール機能は発揮されているが、それらの継目から水が侵入してしまうことがあった。これは、特に、防水パッキン２２１、２２３が劣化してしまったような場合に懸念される。
又、別の問題として、表示装置の前面側に凹凸部が存在するために（例えば、枠材２１９とガラス板２１７との境界部等）、そこに塵や水垢が溜まってしまうという問題があった。
さらに、従来の表示装置の場合には、部品点数が多い為に、組立作業に困難を要すると共にコストが上昇してしまうという問題があった。
【０００５】
本発明はこのような点に基いてなされたものでその目的とするところは、防水性能を向上させ、凹凸部における塵や水垢の堆積を防止し、且つ、部品点数を減少させて組立作業の容易化と組立コストの低減を図ることが可能な表示装置を提供することにある。
【０００６】
【課題を解決するための手段】
上記目的を達成するべく本願発明の請求項１による表示装置は、筐体と、上記筐体内に内装され表示デバイスを備えた基板と、を具備した表示装置において、上記筐体は前面壁及び側壁を一体成形したものであることを特徴とするものである。
又、請求項２による表示装置は、請求項１記載の表示装置において、上記筐体の前面壁には凹凸がないことを特徴とするものである。
又、請求項３による表示装置は、請求項１又は請求項２記載の表示装置において、上記筐体の前面壁は中央部から周辺部に向かって下り勾配になるように湾曲形成されているものであることを特徴とするものである。
又、請求項４による表示装置は、請求項１〜請求項３の何れかに記載の表示装置において、上記筐体の前面壁の内側には上記表示デバイスを位置決めするための表示デバイス位置決め部が一体に突出・配置されていることを特徴とするものである。
又、請求項５による表示装置は、請求項４記載の表示装置において、上記表示デバイス位置決め部内にはブッシュが内装されていることを特徴とするものである。
又、請求項６による表示装置は、請求項１〜請求項５の何れかに記載の表示装置において、上記筐体の前面壁の内側には上記基板を取り付けるための基板取付部が突出・配置されていることを特徴とするものである。
又、請求項７による表示装置は、請求項４〜請求項６の何れかに記載の表示装置において、上記表示デバイス位置決め部には表示デバイスより発せられる光を拡散させるための表示デバイス光拡散部が設けられていることを特徴とするものである。
又、請求項８による表示装置は、請求項１〜請求項７の何れかに記載の表示装置において、該表示装置は屋外にて露出した状態で使用されるものであることを特徴とするものである。
【０００７】
すなわち、本願発明による表示装置の場合には、筐体を前面壁及び側壁を一体成形品としたものであり、それによって、複数の部品の継目等をなくして防水性能を高めようとするものである。又、部品点数を減少させて組立作業の容易化及び製造コストの低減を図らんとするものである。
その際、上記筐体の前面壁に凹凸を設けないようにすることが考えられ、それによって、凹部における塵や水垢等の堆積を防止することができる。
又、上記筐体の前面壁を中央部から周辺部に向かって下り勾配になるように湾曲形成することが考えられ、それによって、例えば、表示装置を水平若しくは略水平状態にて設置した場合であっても、付着した水が周辺に向けて流下することになるので水垢等の付着を防止することができる。
因みに、この種の表示装置を自動二輪車や船舶に取り付けて使用する場合には、多くの場合表示装置を略立てた状態で取り付けるので付着した水等は特に問題にするまでもなく流下することになる。
又、上記筐体の前面壁の内側に上記表示デバイスを位置決めするための表示デバイス位置決め部を一体に突出・配置することが考えられ、それによって、組立作業が簡単になると共に表示デバイスの位置決めも容易になる。
その際、上記表示デバイス位置決め部内にブッシュを内装することが考えられ、それによって、表示デバイスの位置を固定することができる。
又、上記筐体の前面壁の内側に上記基板を取り付けるための基板取付部を突出・配置することが考えられる。
又、上記表示デバイス位置決め部に表示デバイスより発せられる光を拡散させるための表示デバイス光拡散部を設けることが考えられ、それによって、見易くなる。
又、表示装置の用途としては様々な場合が考えられるが、例えば、屋外にて露出した状態で使用される場合が考えられ、その場合には既に述べた作用・効果がより顕著なものとなる。
【０００８】
【発明の実施の形態】
以下、図１乃至図５を参照して本発明の第１の実施の形態を説明する。まず、筐体１があり、この筐体１は透明（半透明でもよい）のインジェクション成形品であり、前面壁１ａと円筒状の側壁１ｂとから構成されている。これら前面壁１ａと側壁１ｂは勿論一体品であり、よって、従来のような複数個の部品の継目等は存在しない構成になっている。
【０００９】
上記前面壁１ａの構成を詳しくみてみると、図５に示すように、まず、予め印刷加工が施された化粧フィルム３がインサート成形されている。又、この化粧フィルム３はインサート成形される前工程で圧空成形等の三次元加工が施されている場合がある。上記印刷加工に使用されるインキは三次元加工に適応したものであって伸縮性に優れた特殊なものである。又、上記化粧フィルム３の表面には外光による誤認を防止するためにノングレア処理が施されている。
【００１０】
上記化粧フィルム３の裏面側には化粧印刷層５が設けられている。この化粧印刷層５は、具体的には、表示装置の外観色を形成する印刷であったり、表示内容を表す文字であったり、化粧柄であったりする。
【００１１】
又、上記筐体１の前面壁１ａの内側には表示デバイスとしてのＬＥＤ７、９を位置決めするためのＬＥＤ位置決め部１１、１３が突出・配置されている。上記ＬＥＤ位置決め部１１、１３内にはブッシュ１５、１７が内装されている。一方、上記ＬＥＤ７、９は基板１９に実装されていて、その状態で夫々のＬＥＤ７、９が上記ＬＥＤ位置決め部１１、１３内に差し込まれている。そして、筐体１内にはポッティング樹脂２１が充填されている。
【００１２】
又、図４に示すように、筐体１の前面壁１ａ側からは基板取付部２３、２５が突出・配置されている。上記基板１９はこの基板取付部２３、２５に締結ねじ２７、２９によって締結・固定されているものである。
【００１３】
又、図５に拡大して示すように、上記ＬＥＤ位置決め部１１の図中上方にはデバイス表示部３１が設けられている。このデバイス表示部３１は、印刷が施されていない非印刷部として提供されているか或いは透過色で印刷されており、それによって、ＬＥＤ７の光が外部から見えるようになっている。
尚、上記デバイス表示部３１に、例えば、拡散メディウムを印刷することも考えられ、それによって、ＬＥＤ７からの光を拡散するものである。
又、図ではＬＥＤ位置決め部１１側のみを示しているが、ＬＥＤ位置決め部１３側も同様の構成になっている。
【００１４】
以上本実施の形態によると次のような効果を奏することができる。
まず、筐体１はインジェクション成形品であって単一部品から構成されており、従来のような複数個の部品の継目等が存在しない構成になっているので、防水効果が大幅に向上するものである。
又、表面に凹凸部が存在するような構成にはなっていないので、従来のように、凹部に塵や水垢が堆積してしまうということもない。
特に、筐体１の前面壁１ａは中央から周辺に向けて下り勾配になるように湾曲・形成されているので、水等は周辺に向かって流れ落ちることになり、それによっても、水垢の付着防止を図ることができる。
因みに、この種の表示装置を自動二輪車や船舶に取り付けて使用する場合には、多くの場合表示装置を略立てた状態で取り付けるので付着した水等は特に問題にするまでもなく流下することになる。
又、上記したように、筐体１はインジェクション成形品であって単一部品から構成されているので、部品点数も少なく、よって、組立作業も大幅に簡略化されることになる。それによって、コストの低減を図ることができる。
又、ＬＥＤ７、９は夫々ＬＥＤ位置決め部１１、１３によって位置決めされているので、使用時における振動等によって不用意に外れてしまったり損傷してしまうようなこともない。その際、ブッシュ１５、１７が効果的に機能している。又、ブッシュ１５、１７には、それ以外にも、ポッティング樹脂２１の回り込みを防止する効果、ＬＥＤ７、９からの光が他の表示部に移らないように遮光する効果を発揮している。
【００１５】
次に、図６を参照して本発明の第２の実施の形態を説明する。この第２の実施の形態の場合には、前記第１の実施の形態におけるＬＥＤ位置決め部１１の上部壁部に拡散形状部４１を設けたものである。それによって、ＬＥＤ７からの光を拡散させて見易くさせるものである。
尚、図では示していないが、ＬＥＤ９側のＬＥＤ位置決め部１３側についても同様の構成になっている。
その他の構成は前記第１の実施の形態の場合と同様であり同一部分には同一符号を付して示しその説明は省略する。
【００１６】
次に、図７を参照して本発明の第３の実施の形態を説明する。この第３の実施の形態の場合には、前記第１の実施の形態におけるＬＥＤ位置決め部１１の上部壁部に凹レンズ形状部５１を設けたものである。それによって、見かけの光源位置を表面近くに接近させる効果がある。
尚、図では示していないが、ＬＥＤ９側のＬＥＤ位置決め部１３側についても同様の構成になっている。
その他の構成は前記第１の実施の形態の場合と同様であり同一部分には同一符号を付して示しその説明は省略する。
【００１７】
次に、図８を参照して本発明の第４の実施の形態を説明する。この第４の実施の形態の場合には、前記第１〜第３の実施の形態におけるＬＥＤ７、９の代わりに、ＬＣＤ６１とバックライト６３を使用したものである。又、それに伴って、ＬＣＤ位置決め部（又は、表示デバイス位置決め部）６５も表示デバイスの形状に合わせてより大きなものとなっている。そして、そこにはブッシュ６７が内装されている。
その他の構成は前記第１の実施の形態の場合と同様であり同一部分には同一符号を付して示しその説明は省略する。
【００１８】
次に、図９を参照して本発明の第５の実施の形態を説明する。この第５の実施の形態の場合は、前記第１の実施の形態におけるポッティング樹脂２１の代わりに蓋体７１を使用したものである。
その他の構成は前記第１の実施の形態の場合と同様であり同一部分には同一符号を付して示しその説明は省略する。
【００１９】
尚、本発明は前記第１〜第５の実施の形態に限定されるものではない。
まず、ＬＥＤの個数は２個、１個に限定されるものではなく、３個以上であってもよい。
【００２０】
【発明の効果】
以上詳述したように本発明による表示装置によると、筐体を前面壁及び側壁を一体成形した単一部品としたものであり、それによって、複数の部品の継目等をなくして防水性能を高めようとするものであり、且つ、部品点数を減少させて組立作業の容易化及び製造コストの低減を図ることができるものである。
その際、上記筐体の前面壁に凹凸を設けないようにした場合には、それによって、凹部における塵や水垢等の堆積を防止することができる。
又、筐体の前面壁を中央部から周辺部に向かって下り勾配になるように湾曲形成した場合には、それによって、例えば、表示装置を水平若しくは略水平状態にて設置した場合であっても、付着した水の流下を促進させることができるので、水垢等の付着を防止することができる。
又、筐体の前面壁に表示デバイスを位置決めするための表示デバイス位置決め部を一体に突出・配置した場合には、それによって、組立作業が簡単になると共に表示デバイスの位置決めも容易になり、表示デバイスの不用意な脱落、損傷等を防止することができる。
その際、表示デバイス位置決め部内にブッシュを内装した場合には、上記効果をより高くすることができる。
又、表示デバイス位置決め部に表示デバイスより発せられる光を拡散させるための表示デバイス光拡散部を設けた場合には、それによって、より見易くすることができる。
又、表示装置の用途として、例えば、屋外にて露出した状態で使用される場合を想定した場合には、既に件述べた作用・効果がより顕著なものとなる。
【図面の簡単な説明】
【図１】本発明の第１の実施の形態を示す図で、表示装置の正面図である。
【図２】本発明の第１の実施の形態を示す図で、表示装置の平面図である。
【図３】本発明の第１の実施の形態を示す図で、図２のＩＩＩ−ＩＩＩ断面図である。
【図４】本発明の第１の実施の形態を示す図で、図２のＩＶ−ＩＶ断面図である。
【図５】本発明の第１の実施の形態を示す図で、図２のＶ部を拡大して示す断面図である。
【図６】本発明の第２の実施の形態を示す図で、表示装置の一部の構成を示す断面図である。
【図７】本発明の第３の実施の形態を示す図で、表示装置の一部の構成を示す断面図である。
【図８】本発明の第４の実施の形態を示す図で、表示装置の一部の構成を示す断面図である。
【図９】本発明の第５の実施の形態を示す図で、表示装置の一部の構成を示す断面図である。
【図１０】従来例を示す図で、表示装置の構成を示す断面図である。
【符号の説明】
１　筐体
１ａ　筐体の前面壁
１ｂ　筐体の側壁
７　ＬＥＤ（表示デバイス）
９　ＬＥＤ（表示デバイス）
１１　ＬＥＤ位置決め部（表示デバイス位置決め部）
１３　ＬＥＤ位置決め部（表示デバイス位置決め部）
１５　ブッシュ
１７　ブッシュ
１９　基板
２３　基板取付部
２５　基板取付部
４１　拡散形状部
５１　拡散レンズ部
【図１】
2004117475.tif 000003
【図２】
2004117475.tif 000004
【図３】
2004117475.tif 000005
【図４】
2004117475.tif 000006
【図５】
2004117475.tif 000007
【図６】
2004117475.tif 000008
【図７】
2004117475.tif 000009
【図８】
2004117475.tif 000010
【図９】
2004117475.tif 000011
【図１０】
2004117475.tif 000012